(57)【要約】【課題】本発明は噴霧歯ブラシを開示した。【解決手段】歯ブラシ本体を含み、前記歯ブラシ本体がヘッド部分とハンドル部分を含み、前記ヘッド部分がヘッドとネックを含み、前記ハンドル部分がハンドルＡとハンドルＢを含み、前記ヘッドのところには泡を噴いて水流に進入を防止する一方向噴霧区域が設けられ、前記一方向噴霧区域が泡チャンバと伝送通路を含み、前記泡チャンバの左右内壁の間には篩Ｂが固定的に取付けられ、前記篩Ｂによって発泡能力を強化し、前記ハンドルＢの中には液体歯磨きを吸い上げる又は排出するチャッキ弁部品が設けられ、前記チャッキ弁部品がバルブボールＡとバルブボディＡとバルブボディＢとを含み、前記ハンドルＡと前記ネックとの間には歯磨きの泡を伝送する泡伝動部品が設けられる。【選択図】図１
2020175068.tif 000002
【特許請求の範囲】
【請求項１】
歯ブラシ本体を含み、前記歯ブラシ本体がヘッド部分とハンドル部分を含み、前記ヘッド部分がヘッドとネックを含み、前記ハンドル部分がハンドルＡとハンドルＢを含み、前記ヘッドのところには泡を噴いて水流に進入を防止する一方向噴霧区域が設けられ、前記一方向噴霧区域が泡チャンバと伝送通路を含み、前記泡チャンバの左右内壁の間には篩Ｂが固定的に取付けられ、前記篩Ｂによって発泡能力を強化し、前記ハンドルＢの中には液体歯磨きを吸い上げる又は排出するチャッキ弁部品が設けられ、前記チャッキ弁部品がバルブボールＡとバルブボディＡとバルブボディＢとを含み、前記ハンドルＡと前記ネックとの間には歯磨きの泡を伝送する泡伝動部品が設けられ、前記泡伝動部品が第一伝送パイプと第二伝送パイプと吸上げパイプを含み、前記ハンドルＢの中には、前記バルブボディが歯磨きを吸い上げる又は排出することを制御する押圧部品が設けられ、前記プッシュ部品がプッシュロッドと、前記プッシュロッドの移動を制御するモータとを含み、前記ハンドルＢの中には電力部品が設けられ、前記電力部品が蓄電池と計時チップとを含むことを特徴とする噴霧歯ブラシ。
【請求項２】
前記歯ブラシ本体は前記ネックの右端面の中に位置する右方に開口した接続溝を含み、前記接続溝の左側には連通した挿入溝が設けられ、前記ヘッドが前記ネックの左端と固定的に接続され、前記ハンドルＢの左端面には前記接続溝と挿入できるように接続係合される接続ヘッドが固定的に取付けられ、前記接続ヘッドの左端面には前記挿入溝と挿入できるように接続係合される挿入接続ヘッドが接続され、前記ハンドルＢが前記ハンドルＡとねじ山によって係合接続されることを特徴とする請求項１に記載の噴霧歯ブラシ。
【請求項３】
前記一方向バルブ部品は前記ハンドルＢの中に位置する空チャンバを含み、前記空チャンバの頂壁には固定板が固定的に取付けられ、前記バルブボディＡが前記固定板の底部端面に固定的に取付けられ、前記バルブボディＡの右端面には接続パイプＡが連通して設けられ、前記バルブボディＡの中にはバブルチャンバＡが設けられ、前記バルブチャンバＡの中にはプッシュ板がスライドできるように係合取付けられ、前記バルブボールＡが前記バルブチャンバＡの中に設置され、前記バルブボールＡと前記プッシュ板との間にはバネＡが設けられ、前記バルブチャンバＡの底壁の開口のところには接続パイプＢが密封するように接続され、前記バルブボディＢが前記空チャンバの底壁に固定的に取付けられ、且つ前記接続パイプＢと連通され、前記バルブボディＢの中にはバルブチャンバＢが設けられ、前記バルブボールＢが前記バルブチャンバＢの中に設置され、前記バルブチャンバＢの底壁と前記バルブボールＢとの間にはバネＢが設けられ、前記押圧部品が前記空チャンバの頂壁に固定的に取付けられるリミット板を含み、前記リミット板が前記プッシュ板の左端面に固定的に取付けられ、前記モータが前記空チャンバの左側壁に固定的に取付けられ、前記プッシュロッドの頂部端面の中には上方に開口し、且つ前記リミット板とスライドできるように係合されるリミット溝が設けられ、前記モータの出力軸には前記プッシュロッドとねじ山によって係合されるねじ山ロッドが固定的に接続されることを特徴とする請求項１に記載の噴霧歯ブラシ。
【請求項４】
前記泡伝動部品は前記ハンドルＡの中に位置する左方に開口した歯磨きチャンバを含み、前記ハンドルＢの右端面には密封ヘッドが固定され、前記接続パイプＡが前記密封ヘッドの中に入り、前記吸上げパイプが前記歯磨きチャンバの中に位置し、且つ前記密封ヘッドの中に入って前記接続パイプＡと連通され、前記第一伝送パイプが前記バルブチャンバＢと連通され、前記接続ヘッドの中には発泡パイプが設けられ、前記第一伝送パイプの左端が前記発泡パイプの右端と連通され、前記発泡パイプの上下壁の間には篩Ａが二つ設けられ、前記第二伝送パイプが前記ヘッドの中に位置し、前記第二伝送パイプが右へ前記挿入溝の中に入り、前記発泡パイプが左へ前記挿入接続ヘッドの中に入り、前記挿入接続ヘッドが前記第二伝送パイプと密封するように接続されることができ、前記一方向噴霧区域が前記ヘッドの頂部端面に固定的に取付けられる刷毛を含み、前記泡チャンバが前記ヘッドの中に位置し、前記伝送通路が前記泡チャンバの底壁の中に位置し前記第二伝送パイプと連通され、前記伝送通路が左右対称であり、前記伝送通路のところにはバルブチャンバＣが設けられ、前記バルブチャンバＣの中にはバルブボールＣが設けられ、前記バルブボールＣと前記バルブチャンバＣの頂壁との間にはバネＣが固定的に取付けられ、前記泡チャンバの頂壁には上方に開口した均一分布された泡通路が設けられることを特徴とする請求項１に記載の噴霧歯ブラシ。
【請求項５】
前記電力部品は、前記ハンドルＢの中に位置し、且つ上方に開口したバッテリーチャンバを含み、前記蓄電池が前記バッテリーチャンバの中に電気的に接続され、前記バッテリーチャンバの開口のところには蓋板がかぶせて取付けられ、前記計時チップが前記バッテイリーの右側に固定的に取付けられ、前記ハンドルＢの頂部端面にはスイッチが設けられることを特徴とする請求項１に記載の噴霧歯ブラシ。
【発明の詳細な説明】
【技術分野】
【０００１】
本発明は歯ブラシ分野に関し、具体的には噴霧歯ブラシである。
【背景技術】
【０００２】
噴霧歯ブラシは殺菌効果が強く、歯磨きも漏れにくい；現有の噴霧歯ブラシは、ほとんどが小型空気ポンプを内蔵したタイプと圧縮ボトルと接続したタイプであり、携帯に便利であるものの、コストが高く、空気又は圧縮ボトル内の気体を尽くすと、取り換える必要がある；パイプと接続した噴霧歯ブラシもあるが、携帯に不便があるため、普及しにくい。
【先行技術文献】
【特許文献】
【０００３】
【特許文献１】中国特許出願公開第１０５８７７１４１号明細書
【発明の概要】
【発明が解決しようとする課題】
【０００４】
本発明は噴霧歯ブラシを提供し、従来技術における上記欠点を解消することを目的とする。
【課題を解決するための手段】
【０００５】
本発明の噴霧歯ブラシは、歯ブラシ本体を含み、前記歯ブラシ本体がヘッド部分とハンドル部分を含み、前記ヘッド部分がヘッドとネックを含み、前記ハンドル部分がハンドルＡとハンドルＢを含み、前記ヘッドのところには泡を噴いて水流に進入を防止する一方向噴霧区域が設けられ、前記一方向噴霧区域が泡チャンバと伝送通路を含み、前記泡チャンバの左右内壁の間には篩Ｂが固定的に取付けられ、前記篩Ｂによって発泡能力を強化し、前記ハンドルＢの中には液体歯磨きを吸い上げる又は排出するチャッキ弁部品が設けられ、前記チャッキ弁部品がバルブボールＡとバルブボディＡとバルブボディＢとを含み、前記ハンドルＡと前記ネックとの間には歯磨きの泡を伝送する泡伝動部品が設けられ、前記泡伝動部品が第一伝送パイプと第二伝送パイプと吸上げパイプを含み、前記ハンドルＢの中には、前記バルブボディが歯磨きを吸い上げる又は排出することを制御する押圧部品が設けられ、前記プッシュ部品がプッシュロッドと、前記プッシュロッドの移動を制御するモータとを含み、前記ハンドルＢの中には電力部品が設けられ、前記電力部品が蓄電池と計時チップとを含む。
【０００６】
好ましくは、前記歯ブラシ本体は前記ネックの右端面の中に位置する右方に開口した接続溝を含み、前記接続溝の左側には連通した挿入溝が設けられ、前記ヘッドが前記ネックの左端と固定的に接続され、前記ハンドルＢの左端面には前記接続溝と挿入できるように接続係合される接続ヘッドが固定的に取付けられ、前記接続ヘッドの左端面には前記挿入溝と挿入できるように接続係合される挿入接続ヘッドが接続され、前記ハンドルＢが前記ハンドルＡとねじ山によって係合接続される。
【０００７】
好ましくは、前記一方向バルブ部品は前記ハンドルＢの中に位置する空チャンバを含み、前記空チャンバの頂壁には固定板が固定的に取付けられ、前記バルブボディＡが前記固定板の底部端面に固定的に取付けられ、前記バルブボディＡの右端面には接続パイプＡが連通して設けられ、前記バルブボディＡの中にはバブルチャンバＡが設けられ、前記バルブチャンバＡの中にはプッシュ板がスライドできるように係合取付けられ、前記バルブボールＡが前記バルブチャンバＡの中に設置され、前記バルブボールＡと前記プッシュ板との間にはバネＡが設けられ、前記バルブチャンバＡの底壁の開口のところには接続パイプＢが密封するように接続され、前記バルブボディＢが前記空チャンバの底壁に固定的に取付けられ、且つ前記接続パイプＢと連通され、前記バルブボディＢの中にはバルブチャンバＢが設けられ、前記バルブボールＢが前記バルブチャンバＢの中に設置され、前記バルブチャンバＢの底壁と前記バルブボールＢとの間にはバネＢが設けられ、前記押圧部品が前記空チャンバの頂壁に固定的に取付けられるリミット板を含み、前記リミット板が前記プッシュ板の左端面に固定的に取付けられ、前記モータが前記空チャンバの左側壁に固定的に取付けられ、前記プッシュロッドの頂部端面の中には上方に開口し、且つ前記リミット板とスライドできるように係合されるリミット溝が設けられ、前記モータの出力軸には前記プッシュロッドとねじ山によって係合されるねじ山ロッドが固定的に接続される。
【０００８】
好ましくは、前記泡伝動部品は前記ハンドルＡの中に位置する左方に開口した歯磨きチャンバを含み、前記ハンドルＢの右端面には密封ヘッドが固定され、前記接続パイプＡが前記密封ヘッドの中に入り、前記吸上げパイプが前記歯磨きチャンバの中に位置し、且つ前記密封ヘッドの中に入って前記接続パイプＡと連通され、前記第一伝送パイプが前記バルブチャンバＢと連通され、前記接続ヘッドの中には発泡パイプが設けられ、前記第一伝送パイプの左端が前記発泡パイプの右端と連通され、前記発泡パイプの上下壁の間には篩Ａが二つ設けられ、前記第二伝送パイプが前記ヘッドの中に位置し、前記第二伝送パイプが右へ前記挿入溝の中に入り、前記発泡パイプが左へ前記挿入接続ヘッドの中に入り、前記挿入接続ヘッドが前記第二伝送パイプと密封するように接続されることができ、前記一方向噴霧区域が前記ヘッドの頂部端面に固定的に取付けられる刷毛を含み、前記泡チャンバが前記ヘッドの中に位置し、前記伝送通路が前記泡チャンバの底壁の中に位置し前記第二伝送パイプと連通され、前記伝送通路が左右対称であり、前記伝送通路のところにはバルブチャンバＣが設けられ、前記バルブチャンバＣの中にはバルブボールＣが設けられ、前記バルブボールＣと前記バルブチャンバＣの頂壁との間にはバネＣが固定的に取付けられ、前記泡チャンバの頂壁には上方に開口した均一分布された泡通路が設けられる。
【０００９】
好ましくは、前記電力部品は、前記ハンドルＢの中に位置し、且つ上方に開口したバッテリーチャンバを含み、前記蓄電池が前記バッテリーチャンバの中に電気的に接続され、前記バッテリーチャンバの開口のところには蓋板がかぶせて取付けられ、前記計時チップが前記バッテイリーの右側に固定的に取付けられ、前記ハンドルＢの頂部端面にはスイッチが設けられる。
【発明の効果】
【００１０】
本発明の有益効果は：歯磨きする時に、スイッチを押せば泡状の液体歯磨きが形成され、且つ歯磨きが終わるまで一定の時間帯が経つごとに新しい泡が出て、また篩を二つも設けており、液体歯磨きを完全に泡状の歯磨きに転換でき、三箇所に設置されているバルブボールによって液体歯磨きの流向を保証し、また歯磨きする時と歯ブラシを洗浄する時に発生する回流問題を防止し、現有の噴霧歯ブラシとは極大の区別があり、発泡効果がいいし、安定であるし、携帯も便利であり、宣伝価値がある。
【図面の簡単な説明】
【００１１】
便利しやすいために、本発明は以下の具体的な実施例及び付図により詳しく説明する。
【００１２】
【図１】図１は本発明の噴霧歯ブラシの全体構成模式図
【図２】図２はヘッド部分の構成模式図
【図３】図３は図１の「Ａ」の拡大構成模式図
【発明を実施するための形態】
【００１３】
下記に図１−３を合わせて本発明について詳しく説明する；説明の便利と意思疎通を図って、下記に記載の上下左右前後方向は図１自身の投影関係の上下左右前後方向と一致している。
【００１４】
本発明の噴霧歯ブラシは、歯ブラシ本体９０１を含み、前記歯ブラシ本体９０１がヘッド部分８０１とハンドル部分８０２を含み、前記ヘッド部分８０１がヘッド１０とネック２６を含み、前記ハンドル部分８０２がハンドルＡ１１とハンドルＢ３３を含み、前記ヘッド１０のところには泡を噴いて水流に進入を防止する一方向噴霧区域９０２が設けられ、前記一方向噴霧区域９０２が泡チャンバ２３と伝送通路２１を含み、前記泡チャンバ２３の左右内壁の間には篩Ｂ２４が固定的に取付けられ、前記篩Ｂ２４によって発泡能力を強化し、前記ハンドルＢ３３の中には液体歯磨きを吸い上げる又は排出するチャッキ弁部品９０３が設けられ、前記チャッキ弁部品９０３がバルブボールＡ４３とバルブボディＡ４１とバルブボディＢ６０とを含み、前記ハンドルＡ１１と前記ネック２６との間には歯磨きの泡を伝送する泡伝動部品９０４が設けられ、前記泡伝動部品９０４が第一伝送パイプ３２と第二伝送パイプ１４と吸上げパイプ１３を含み、前記ハンドルＢ３３の中には、前記バルブボディ４１が歯磨きを吸い上げる又は排出することを制御する押圧部品９０５が設けられ、前記プッシュ部品９０５がプッシュロッド５２と、前記プッシュロッド５２の移動を制御するモータ５６とを含み、前記ハンドルＢ３３の中には電力部品９０６が設けられ、前記電力部品９０６が蓄電池３６と計時チップ３８とを含む。
【００１５】
前記歯ブラシ本体９０１は前記ネック２６の右端面の中に位置する右方に開口した接続溝１６を含み、前記接続溝１６の左側には連通した挿入溝１５が設けられ、前記ヘッド１０が前記ネック２６の左端と固定的に接続され、前記ハンドルＢ３３の左端面には前記接続溝１６と挿入できるように接続係合される接続ヘッド２７が固定的に取付けられ、前記接続ヘッド２７の左端面には前記挿入溝１５と挿入できるように接続係合される挿入接続ヘッド２８が接続され、前記ハンドルＢ３３が前記ハンドルＡ１１とねじ山によって係合接続され、これによりネック２６を抜き出してヘッド部分８０１とハンドル部分８０２を分解できる。
【００１６】
前記一方向バルブ部品９０３は前記ハンドルＢ３３の中に位置する空チャンバ５７を含み、前記空チャンバ５７の頂壁には固定板４０が固定的に取付けられ、前記バルブボディＡ４１が前記固定板４０の底部端面に固定的に取付けられ、前記バルブボディＡ４１の右端面には接続パイプＡ４２が連通して設けられ、前記バルブボディＡ４１の中にはバブルチャンバＡ４５が設けられ、前記バルブチャンバＡ４５の中にはプッシュ板５１がスライドできるように係合取付けられ、前記バルブボールＡ４３が前記バルブチャンバＡ４５の中に設置され、前記バルブボールＡ４３と前記プッシュ板５１との間にはバネＡ４４が設けられ、前記バルブチャンバＡ４５の底壁の開口のところには接続パイプＢ４６が密封するように接続され、前記バルブボディＢ６０が前記空チャンバ５７の底壁に固定的に取付けられ、且つ前記接続パイプＢ４６と連通され、前記バルブボディＢ６０の中にはバルブチャンバＢ５０が設けられ、前記バルブボールＢ４７が前記バルブチャンバＢ５０の中に設置され、前記バルブチャンバＢ５０の底壁と前記バルブボールＢ４７との間にはバネＢ４８が設けられ、前記押圧部品９０５が前記空チャンバ５７の頂壁に固定的に取付けられるリミット板５４を含み、前記リミット板５４が前記プッシュ板５１の左端面に固定的に取付けられ、前記モータ５６が前記空チャンバ５７の左側壁に固定的に取付けられ、前記プッシュロッド５２の頂部端面の中には上方に開口し、且つ前記リミット板５４とスライドできるように係合されるリミット溝５３が設けられ、前記モータ５６の出力軸には前記プッシュロッド５２とねじ山によって係合されるねじ山ロッド５５が固定的に接続され、モータ５６が逆方向に回転する時、バルブチャンバＡ４５の中の気圧が減少し、接続パイプＡ４２の中の高気圧によってバルブボールＡ４３がバルブチャンバＡ４５の中に押され、バルブチャンバ４５の中の気圧にバランスを持たせ、モータ５６が正方向に回転する時、バルブチャンバＡ４５の中の気圧が増大し、バルブボールＢ４７が圧下され、バルブチャンバＡ４５の中の気圧にバランスを持たせる。
【００１７】
前記泡伝動部品９０４は前記ハンドルＡ１１の中に位置する左方に開口した歯磨きチャンバ１２を含み、前記ハンドルＢ３３の右端面には密封ヘッド７０が固定され、前記接続パイプＡ４２が前記密封ヘッド７０の中に入り、前記吸上げパイプ１３が前記歯磨きチャンバ１２の中に位置し、且つ前記密封ヘッド７０の中に入って前記接続パイプＡ４２と連通され、前記第一伝送パイプ３２が前記バルブチャンバＢ５０と連通され、前記接続ヘッド２７の中には発泡パイプ３０が設けられ、前記第一伝送パイプ３２の左端が前記発泡パイプ３０の右端と連通され、前記発泡パイプ３０の上下壁の間には篩Ａ３１が二つ設けられ、前記第二伝送パイプ１４が前記ヘッド１０の中に位置し、前記第二伝送パイプ１４が右へ前記挿入溝１５の中に入り、前記発泡パイプ３０が左へ前記挿入接続ヘッド２８の中に入り、前記挿入接続ヘッド２８が前記第二伝送パイプ１４と密封するように接続されることができ、前記一方向噴霧区域９０２が前記ヘッド１０の頂部端面に固定的に取付けられる刷毛１７を含み、前記泡チャンバ２３が前記ヘッド１０の中に位置し、前記伝送通路２１が前記泡チャンバ２３の底壁の中に位置し前記第二伝送パイプ１４と連通され、前記伝送通路２１が左右対称であり、前記伝送通路２１のところにはバルブチャンバＣ１８が設けられ、前記バルブチャンバＣ１８の中にはバルブボールＣ２０が設けられ、前記バルブボールＣ２０と前記バルブチャンバＣ１８の頂壁との間にはバネＣ２２が固定的に取付けられ、前記泡チャンバ２３の頂壁には上方に開口した均一分布された泡通路２５が設けられ、これによりチャッキ弁部品９０３の係合により、液体歯磨きが発泡パイプ３０の中に入り、篩Ａ３１の作用により泡になって泡チャンバ２３の中に入り、篩Ｂ２４によって二次発泡した後に泡通路２５を経由してヘッド１０の表面に出る。
【００１８】
前記電力部品９０６は、前記ハンドルＢ３３の中に位置し、且つ上方に開口したバッテリーチャンバ３５を含み、前記蓄電池３６が前記バッテリーチャンバ３５の中に電気的に接続され、前記バッテリーチャンバ３５の開口のところには蓋板３４がかぶせて取付けられ、前記計時チップ３８が前記バッテイリー３５の右側に固定的に取付けられ、前記ハンドルＢ３３の頂部端面にはスイッチ３７が設けられ、これにより計時チップ３８を通じてモータ５６の起動間隔を制御でき、これにより所定の時間が経つたび、自動的に歯磨きを添加することができる。
【００１９】
使用する時、歯磨きチャンバ１２の中に液体歯磨きを入れ、ねじ山によってハンドルＡ１１とハンドルＢ３３とを固定し、ネック２６によってヘッド部分とハンドル部分を接続する；
【００２０】
通常状態の時、バルブボールＡ４３がバネＡ４４の作用により右端に位置して接続パイプＡ４２とバネＡ４４との連通区域を塞ぎ、バルブボールＢ４７がバネＢ４８の作用により上端に位置して接続パイプＢ４６とバルブボディＢ６０との連通区域を塞ぎ、バルブボールＣ２０がバネＣ２２の作用によりバルブチャンバＣ１８の底壁に位置して伝送通路２１と第二伝送パイプ１４との連通区域を塞ぐ；
【００２１】
スイッチ３７によってモータ５６を始動し、モータ５６が回転してねじ山ロッド５５を連れて回転させ、リミット板５４によってプッシュロッド５２の回転をリミットする場合、ねじ山ロッド５５がねじ山による係合を通じてプッシュロッド５２を右へ移動させてプッシュ板５１を押し動かして右へ移動させ、バルブチャンバＡ４５の中の気圧を増大し、モータ５６が逆方向に回転する時、プッシュ板５１が左へ移動し、バルブチャンバＡ４５の中の気圧が減少し、バルブチャンバＢ５０の中の高気圧によってバルブボールＢ４７が接続パイプＢ４６とバルブボディＢ６０との連通区域に留められ、接続パイプＡ４２の中の高気圧によってバルブボールＡ４３がバルブチャンバＡ４５の中に押され、バルブチャンバＡ４５の中の液体歯磨きがバルブチャンバＢ５０の中に入り、バルブチャンバＡ４５の中の気圧が増大する時、バルブボールＡ４３が接続パイプＡ４２とバネＡ４４との連通区域に留められ、バルブボールＢ４７が圧下され、吸上げパイプ１３を通じて歯磨きチャンバ１２の中の液体歯磨きを吸上げ、液体歯磨きがバルブチャンバＡ４５の中に入り、バルブチャンバＡ４５の圧力が増大するに従い、液体歯磨きが再びバルブチャンバＢ５０の中に押された後、バルブチャンバＢ５０の中の液体歯磨きが第一伝送パイプ３２を通して発泡パイプ３０の中に入り、篩Ａ３１の作用によって泡になって継続して発泡パイプ３０を通して第二伝送パイプ１４の中に入り、泡が第二伝送パイプ１４の中に入り始める時にバルブボールＣ２０が上へ動かされて移動して、泡が両側の伝送通路２１を通して泡チャンバ２３の中に入り、篩Ｂ２４によって二次発泡した後に泡通路２５を通してヘッド１０の表面に出る。
【００２２】
本発明の有益効果は：歯磨きする時に、スイッチを押せば泡状の液体歯磨きが形成され、且つ歯磨きが終わるまで一定の時間帯が経つごとに新しい泡が出て、また篩を二つも設けており、液体歯磨きを完全に泡状の歯磨きに転換でき、三箇所に設置されているバルブボールによって液体歯磨きの流向を保証し、また歯磨きする時と歯ブラシを洗浄する時に発生する回流問題を防止し、現有の噴霧歯ブラシとは極大の区別があり、発泡効果がいいし、安定であるし、携帯も便利であり、宣伝価値がある。
【００２３】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175068.tif 000003
【図２】
2020175068.tif 000004
【図３】
2020175068.tif 000005
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
歯ブラシ本体を含み、前記歯ブラシ本体がヘッド部分とハンドル部分を含み、前記ヘッド部分がヘッドとネックを含み、前記ハンドル部分がハンドルＡとハンドルＢを含み、前記ヘッドのところには泡を噴いて水流の進入を防止する一方向噴霧区域が設けられ、前記一方向噴霧区域が泡チャンバと伝送通路を含み、前記泡チャンバの左右内壁の間には篩Ｂが固定的に取付けられ、前記篩Ｂによって発泡能力を強化し、前記ハンドルＢの中には液体歯磨きを吸い上げる又は排出するチャッキ弁部品が設けられ、前記チャッキ弁部品がバルブボールＡとバルブボールＢとバルブボディＡとバルブボディＢとを含み、前記ハンドルＡと前記ネックとの間には歯磨きの泡を伝送する泡伝動部品が設けられ、前記泡伝動部品が第一伝送パイプと第二伝送パイプと吸上げパイプを含み、前記ハンドルＢの中には、前記バルブボディＡが歯磨きを吸い上げる又は排出することを制御する押圧部品が設けられ、前記押圧部品がプッシュロッドと、前記プッシュロッドの移動を制御するモータとを含み、前記ハンドルＢの中には電力部品が設けられ、前記電力部品が蓄電池と計時チップとを含み、
前記歯ブラシ本体は前記ネックの右端面の中に位置する右方に開口した接続溝を含み、前記接続溝の左側には連通した挿入溝が設けられ、前記ヘッドが前記ネックの左端と固定的に接続され、前記ハンドルＢの左端面には前記接続溝と挿入できるように接続係合される接続ヘッドが固定的に取付けられ、前記接続ヘッドの左端面には前記挿入溝と挿入できるように接続係合される挿入接続ヘッドが接続され、前記ハンドルＢが前記ハンドルＡとねじ山によって係合接続され、
前記チャッキ弁部品は前記ハンドルＢの中に位置する空チャンバを含み、前記空チャンバの頂壁には固定板が固定的に取付けられ、前記バルブボディＡが前記固定板の底部端面に固定的に取付けられ、前記バルブボディＡの右端面には接続パイプＡが連通して設けられ、前記バルブボディＡの中にはバルブチャンバＡが設けられ、前記バルブチャンバＡの中にはプッシュ板がスライドできるように係合取付けられ、前記バルブボールＡが前記バルブチャンバＡの中に設置され、前記バルブボールＡと前記プッシュ板との間にはバネＡが設けられ、前記バルブチャンバＡの底壁の開口のところには接続パイプＢが密封するように接続され、前記バルブボディＢが前記空チャンバの底壁に固定的に取付けられ、且つ前記接続パイプＢと連通され、前記バルブボディＢの中にはバルブチャンバＢが設けられ、前記バルブボールＢが前記バルブチャンバＢの中に設置され、前記バルブチャンバＢの底壁と前記バルブボールＢとの間にはバネＢが設けられ、前記押圧部品が前記空チャンバの頂壁に固定的に取付けられるリミット板を含み、前記リミット板が前記プッシュ板の左端面に固定的に取付けられ、前記モータが前記空チャンバの左側壁に固定的に取付けられ、前記プッシュロッドの頂部端面の中には上方に開口し、且つ前記リミット板とスライドできるように係合されるリミット溝が設けられ、前記モータの出力軸には前記プッシュロッドとねじ山によって係合されるねじ山ロッドが固定的に接続され、
前記泡伝動部品は前記ハンドルＡの中に位置する左方に開口した歯磨きチャンバを含み、前記ハンドルＢの右端面には密封ヘッドが固定され、前記接続パイプＡが前記密封ヘッドの中に入り、前記吸上げパイプが前記歯磨きチャンバの中に位置し、且つ前記密封ヘッドの中に入って前記接続パイプＡと連通され、前記第一伝送パイプが前記バルブチャンバＢと連通され、前記接続ヘッドの中には発泡パイプが設けられ、前記第一伝送パイプの左端が前記発泡パイプの右端と連通され、前記発泡パイプの上下壁の間には篩Ａが二つ設けられ、前記第二伝送パイプが前記ヘッドの中に位置し、前記第二伝送パイプの右端が前記挿入溝の中に位置し、前記発泡パイプの左端が前記挿入接続ヘッドの中に位置し、前記挿入接続ヘッドが前記第二伝送パイプと密封するように接続されることができ、前記一方向噴霧区域が前記ヘッドの頂部端面に固定的に取付けられる刷毛を含み、前記泡チャンバが前記ヘッドの中に位置し、前記伝送通路が前記泡チャンバの底壁の中に位置し前記第二伝送パイプと連通され、前記伝送通路が左右対称であり、前記伝送通路のところにはバルブチャンバＣが設けられ、前記バルブチャンバＣの中にはバルブボールＣが設けられ、前記バルブボールＣと前記バルブチャンバＣの頂壁との間にはバネＣが固定的に取付けられ、前記泡チャンバの頂壁には上方に開口した均一分布された泡通路が設けられ、
前記電力部品は、前記ハンドルＢの中に位置し、且つ上方に開口したバッテリーチャンバを含み、前記蓄電池が前記バッテリーチャンバの中に電気的に接続され、前記バッテリーチャンバの開口のところには蓋板がかぶせて取付けられ、前記計時チップが前記バッテリーチャンバの右側に固定的に取付けられ、前記ハンドルＢの頂部端面にはスイッチが設けられ、
前記バルブチャンバＡの中の気圧が減少し、前記バルブチャンバＢの中の高気圧によって前記バルブボールＢが前記接続パイプＢと前記バルブボディＢとの連通区域に留められ、前記接続パイプＡの中の高気圧によって前記バルブボールＡが前記バルブチャンバＡの中に押され、前記バルブチャンバＡの中の液体歯磨きが前記バルブチャンバＢの中に入り、前記バルブチャンバＡの中の気圧が増大する時、前記バルブボールＡが前記接続パイプＡと前記バネＡとの連通区域に留められ、前記バルブボールＢが圧下され、前記吸上げパイプを通じて前記歯磨きチャンバの中の液体歯磨きを吸上げ、液体歯磨きが前記バルブチャンバＡの中に入ることを特徴とする噴霧歯ブラシ。
【手続補正２】
【補正対象書類名】明細書
【補正対象項目名】全文
【補正方法】変更
【補正の内容】
【発明の詳細な説明】
【技術分野】
【０００１】
本発明は歯ブラシ分野に関し、具体的には噴霧歯ブラシである。
【背景技術】
【０００２】
噴霧歯ブラシは殺菌効果が強く、歯磨きも漏れにくい；現有の噴霧歯ブラシは、ほとんどが小型空気ポンプを内蔵したタイプと圧縮ボトルと接続したタイプであり、携帯に便利であるものの、コストが高く、空気又は圧縮ボトル内の気体を尽くすと、取り換える必要がある；パイプと接続した噴霧歯ブラシもあるが、携帯に不便があるため、普及しにくい。
【先行技術文献】
【特許文献】
【０００３】
【特許文献１】中国特許出願公開第１０５８７７１４１号明細書
【発明の概要】
【発明が解決しようとする課題】
【０００４】
本発明は噴霧歯ブラシを提供し、従来技術における上記欠点を解消することを目的とする。
【課題を解決するための手段】
【０００５】
本発明の噴霧歯ブラシは、歯ブラシ本体を含み、前記歯ブラシ本体がヘッド部分とハンドル部分を含み、前記ヘッド部分がヘッドとネックを含み、前記ハンドル部分がハンドルＡとハンドルＢを含み、前記ヘッドのところには泡を噴いて水流の進入を防止する一方向噴霧区域が設けられ、前記一方向噴霧区域が泡チャンバと伝送通路を含み、前記泡チャンバの左右内壁の間には篩Ｂが固定的に取付けられ、前記篩Ｂによって発泡能力を強化し、前記ハンドルＢの中には液体歯磨きを吸い上げる又は排出するチャッキ弁部品が設けられ、前記チャッキ弁部品がバルブボールＡとバルブボールＢとバルブボディＡとバルブボディＢとを含み、前記ハンドルＡと前記ネックとの間には歯磨きの泡を伝送する泡伝動部品が設けられ、前記泡伝動部品が第一伝送パイプと第二伝送パイプと吸上げパイプを含み、前記ハンドルＢの中には、前記バルブボディＡが歯磨きを吸い上げる又は排出することを制御する押圧部品が設けられ、前記押圧部品がプッシュロッドと、前記プッシュロッドの移動を制御するモータとを含み、前記ハンドルＢの中には電力部品が設けられ、前記電力部品が蓄電池と計時チップとを含む。
【０００６】
好ましくは、前記歯ブラシ本体は前記ネックの右端面の中に位置する右方に開口した接続溝を含み、前記接続溝の左側には連通した挿入溝が設けられ、前記ヘッドが前記ネックの左端と固定的に接続され、前記ハンドルＢの左端面には前記接続溝と挿入できるように接続係合される接続ヘッドが固定的に取付けられ、前記接続ヘッドの左端面には前記挿入溝と挿入できるように接続係合される挿入接続ヘッドが接続され、前記ハンドルＢが前記ハンドルＡとねじ山によって係合接続される。
【０００７】
好ましくは、前記チャッキ弁部品は前記ハンドルＢの中に位置する空チャンバを含み、前記空チャンバの頂壁には固定板が固定的に取付けられ、前記バルブボディＡが前記固定板の底部端面に固定的に取付けられ、前記バルブボディＡの右端面には接続パイプＡが連通して設けられ、前記バルブボディＡの中にはバルブチャンバＡが設けられ、前記バルブチャンバＡの中にはプッシュ板がスライドできるように係合取付けられ、前記バルブボールＡが前記バルブチャンバＡの中に設置され、前記バルブボールＡと前記プッシュ板との間にはバネＡが設けられ、前記バルブチャンバＡの底壁の開口のところには接続パイプＢが密封するように接続され、前記バルブボディＢが前記空チャンバの底壁に固定的に取付けられ、且つ前記接続パイプＢと連通され、前記バルブボディＢの中にはバルブチャンバＢが設けられ、前記バルブボールＢが前記バルブチャンバＢの中に設置され、前記バルブチャンバＢの底壁と前記バルブボールＢとの間にはバネＢが設けられ、前記押圧部品が前記空チャンバの頂壁に固定的に取付けられるリミット板を含み、前記リミット板が前記プッシュ板の左端面に固定的に取付けられ、前記モータが前記空チャンバの左側壁に固定的に取付けられ、前記プッシュロッドの頂部端面の中には上方に開口し、且つ前記リミット板とスライドできるように係合されるリミット溝が設けられ、前記モータの出力軸には前記プッシュロッドとねじ山によって係合されるねじ山ロッドが固定的に接続される。
【０００８】
好ましくは、前記泡伝動部品は前記ハンドルＡの中に位置する左方に開口した歯磨きチャンバを含み、前記ハンドルＢの右端面には密封ヘッドが固定され、前記接続パイプＡが前記密封ヘッドの中に入り、前記吸上げパイプが前記歯磨きチャンバの中に位置し、且つ前記密封ヘッドの中に入って前記接続パイプＡと連通され、前記第一伝送パイプが前記バルブチャンバＢと連通され、前記接続ヘッドの中には発泡パイプが設けられ、前記第一伝送パイプの左端が前記発泡パイプの右端と連通され、前記発泡パイプの上下壁の間には篩Ａが二つ設けられ、前記第二伝送パイプが前記ヘッドの中に位置し、前記第二伝送パイプの右端が前記挿入溝の中に位置し、前記発泡パイプの左端が前記挿入接続ヘッドの中に位置し、前記挿入接続ヘッドが前記第二伝送パイプと密封するように接続されることができ、前記一方向噴霧区域が前記ヘッドの頂部端面に固定的に取付けられる刷毛を含み、前記泡チャンバが前記ヘッドの中に位置し、前記伝送通路が前記泡チャンバの底壁の中に位置し前記第二伝送パイプと連通され、前記伝送通路が左右対称であり、前記伝送通路のところにはバルブチャンバＣが設けられ、前記バルブチャンバＣの中にはバルブボールＣが設けられ、前記バルブボールＣと前記バルブチャンバＣの頂壁との間にはバネＣが固定的に取付けられ、前記泡チャンバの頂壁には上方に開口した均一分布された泡通路が設けられる。
【０００９】
好ましくは、前記電力部品は、前記ハンドルＢの中に位置し、且つ上方に開口したバッテリーチャンバを含み、前記蓄電池が前記バッテリーチャンバの中に電気的に接続され、前記バッテリーチャンバの開口のところには蓋板がかぶせて取付けられ、前記計時チップが前記バッテリーチャンバの右側に固定的に取付けられ、前記ハンドルＢの頂部端面にはスイッチが設けられる。
【発明の効果】
【００１０】
本発明の有益効果は：歯磨きする時に、スイッチを押せば泡状の液体歯磨きが形成され、且つ歯磨きが終わるまで一定の時間帯が経つごとに新しい泡が出て、また篩を二つも設けており、液体歯磨きを完全に泡状の歯磨きに転換でき、三箇所に設置されているバルブボールによって液体歯磨きの流向を保証し、また歯磨きする時と歯ブラシを洗浄する時に発生する回流問題を防止し、現有の噴霧歯ブラシとは極大の区別があり、発泡効果がいいし、安定であるし、携帯も便利であり、宣伝価値がある。
【図面の簡単な説明】
【００１１】
便利しやすいために、本発明は以下の具体的な実施例及び付図により詳しく説明する。
【００１２】
【図１】図１は本発明の噴霧歯ブラシの全体構成模式図
【図２】図２はヘッド部分の構成模式図
【図３】図３は図１の「Ａ」の拡大構成模式図
【発明を実施するための形態】
【００１３】
下記に図１−３を合わせて本発明について詳しく説明する；説明の便利と意思疎通を図って、下記に記載の上下左右前後方向は図１自身の投影関係の上下左右前後方向と一致している。
【００１４】
本発明の噴霧歯ブラシは、歯ブラシ本体９０１を含み、前記歯ブラシ本体９０１がヘッド部分８０１とハンドル部分８０２を含み、前記ヘッド部分８０１がヘッド１０とネック２６を含み、前記ハンドル部分８０２がハンドルＡ１１とハンドルＢ３３を含み、前記ヘッド１０のところには泡を噴いて水流の進入を防止する一方向噴霧区域９０２が設けられ、前記一方向噴霧区域９０２が泡チャンバ２３と伝送通路２１を含み、前記泡チャンバ２３の左右内壁の間には篩Ｂ２４が固定的に取付けられ、前記篩Ｂ２４によって発泡能力を強化し、前記ハンドルＢ３３の中には液体歯磨きを吸い上げる又は排出するチャッキ弁部品９０３が設けられ、前記チャッキ弁部品９０３がバルブボールＡ４３とバルブボールＢ４７とバルブボディＡ４１とバルブボディＢ６０とを含み、前記ハンドルＡ１１と前記ネック２６との間には歯磨きの泡を伝送する泡伝動部品９０４が設けられ、前記泡伝動部品９０４が第一伝送パイプ３２と第二伝送パイプ１４と吸上げパイプ１３を含み、前記ハンドルＢ３３の中には、前記バルブボディＡ４１が歯磨きを吸い上げる又は排出することを制御する押圧部品９０５が設けられ、前記押圧部品９０５がプッシュロッド５２と、前記プッシュロッド５２の移動を制御するモータ５６とを含み、前記ハンドルＢ３３の中には電力部品９０６が設けられ、前記電力部品９０６が蓄電池３６と計時チップ３８とを含む。
【００１５】
前記歯ブラシ本体９０１は前記ネック２６の右端面の中に位置する右方に開口した接続溝１６を含み、前記接続溝１６の左側には連通した挿入溝１５が設けられ、前記ヘッド１０が前記ネック２６の左端と固定的に接続され、前記ハンドルＢ３３の左端面には前記接続溝１６と挿入できるように接続係合される接続ヘッド２７が固定的に取付けられ、前記接続ヘッド２７の左端面には前記挿入溝１５と挿入できるように接続係合される挿入接続ヘッド２８が接続され、前記ハンドルＢ３３が前記ハンドルＡ１１とねじ山によって係合接続され、これによりネック２６を抜き出してヘッド部分８０１とハンドル部分８０２を分解できる。
【００１６】
前記チャッキ弁部品９０３は前記ハンドルＢ３３の中に位置する空チャンバ５７を含み、前記空チャンバ５７の頂壁には固定板４０が固定的に取付けられ、前記バルブボディＡ４１が前記固定板４０の底部端面に固定的に取付けられ、前記バルブボディＡ４１の右端面には接続パイプＡ４２が連通して設けられ、前記バルブボディＡ４１の中にはバルブチャンバＡ４５が設けられ、前記バルブチャンバＡ４５の中にはプッシュ板５１がスライドできるように係合取付けられ、前記バルブボールＡ４３が前記バルブチャンバＡ４５の中に設置され、前記バルブボールＡ４３と前記プッシュ板５１との間にはバネＡ４４が設けられ、前記バルブチャンバＡ４５の底壁の開口のところには接続パイプＢ４６が密封するように接続され、前記バルブボディＢ６０が前記空チャンバ５７の底壁に固定的に取付けられ、且つ前記接続パイプＢ４６と連通され、前記バルブボディＢ６０の中にはバルブチャンバＢ５０が設けられ、前記バルブボールＢ４７が前記バルブチャンバＢ５０の中に設置され、前記バルブチャンバＢ５０の底壁と前記バルブボールＢ４７との間にはバネＢ４８が設けられ、前記押圧部品９０５が前記空チャンバ５７の頂壁に固定的に取付けられるリミット板５４を含み、前記リミット板５４が前記プッシュ板５１の左端面に固定的に取付けられ、前記モータ５６が前記空チャンバ５７の左側壁に固定的に取付けられ、前記プッシュロッド５２の頂部端面の中には上方に開口し、且つ前記リミット板５４とスライドできるように係合されるリミット溝５３が設けられ、前記モータ５６の出力軸には前記プッシュロッド５２とねじ山によって係合されるねじ山ロッド５５が固定的に接続され、モータ５６が逆方向に回転する時、バルブチャンバＡ４５の中の気圧が減少し、接続パイプＡ４２の中の高気圧によってバルブボールＡ４３がバルブチャンバＡ４５の中に押され、バルブチャンバ４５の中の気圧にバランスを持たせ、モータ５６が正方向に回転する時、バルブチャンバＡ４５の中の気圧が増大し、バルブボールＢ４７が圧下され、バルブチャンバＡ４５の中の気圧にバランスを持たせる。
【００１７】
前記泡伝動部品９０４は前記ハンドルＡ１１の中に位置する左方に開口した歯磨きチャンバ１２を含み、前記ハンドルＢ３３の右端面には密封ヘッド７０が固定され、前記接続パイプＡ４２が前記密封ヘッド７０の中に入り、前記吸上げパイプ１３が前記歯磨きチャンバ１２の中に位置し、且つ前記密封ヘッド７０の中に入って前記接続パイプＡ４２と連通され、前記第一伝送パイプ３２が前記バルブチャンバＢ５０と連通され、前記接続ヘッド２７の中には発泡パイプ３０が設けられ、前記第一伝送パイプ３２の左端が前記発泡パイプ３０の右端と連通され、前記発泡パイプ３０の上下壁の間には篩Ａ３１が二つ設けられ、前記第二伝送パイプ１４が前記ヘッド１０の中に位置し、前記第二伝送パイプ１４の右端が前記挿入溝１５の中に位置し、前記発泡パイプ３０の左端が前記挿入接続ヘッド２８の中に位置し、前記挿入接続ヘッド２８が前記第二伝送パイプ１４と密封するように接続されることができ、前記一方向噴霧区域９０２が前記ヘッド１０の頂部端面に固定的に取付けられる刷毛１７を含み、前記泡チャンバ２３が前記ヘッド１０の中に位置し、前記伝送通路２１が前記泡チャンバ２３の底壁の中に位置し前記第二伝送パイプ１４と連通され、前記伝送通路２１が左右対称であり、前記伝送通路２１のところにはバルブチャンバＣ１８が設けられ、前記バルブチャンバＣ１８の中にはバルブボールＣ２０が設けられ、前記バルブボールＣ２０と前記バルブチャンバＣ１８の頂壁との間にはバネＣ２２が固定的に取付けられ、前記泡チャンバ２３の頂壁には上方に開口した均一分布された泡通路２５が設けられ、これによりチャッキ弁部品９０３の係合により、液体歯磨きが発泡パイプ３０の中に入り、篩Ａ３１の作用により泡になって泡チャンバ２３の中に入り、篩Ｂ２４によって二次発泡した後に泡通路２５を経由してヘッド１０の表面に出る。
【００１８】
前記電力部品９０６は、前記ハンドルＢ３３の中に位置し、且つ上方に開口したバッテリーチャンバ３５を含み、前記蓄電池３６が前記バッテリーチャンバ３５の中に電気的に接続され、前記バッテリーチャンバ３５の開口のところには蓋板３４がかぶせて取付けられ、前記計時チップ３８が前記バッテリーチャンバ３５の右側に固定的に取付けられ、前記ハンドルＢ３３の頂部端面にはスイッチ３７が設けられ、これにより計時チップ３８を通じてモータ５６の起動間隔を制御でき、これにより所定の時間が経つたび、自動的に歯磨きを添加することができる。
【００１９】
使用する時、歯磨きチャンバ１２の中に液体歯磨きを入れ、ねじ山によってハンドルＡ１１とハンドルＢ３３とを固定し、ネック２６によってヘッド部分とハンドル部分を接続する；
【００２０】
通常状態の時、バルブボールＡ４３がバネＡ４４の作用により右端に位置して接続パイプＡ４２とバネＡ４４との連通区域を塞ぎ、バルブボールＢ４７がバネＢ４８の作用により上端に位置して接続パイプＢ４６とバルブボディＢ６０との連通区域を塞ぎ、バルブボールＣ２０がバネＣ２２の作用によりバルブチャンバＣ１８の底壁に位置して伝送通路２１と第二伝送パイプ１４との連通区域を塞ぐ；
【００２１】
スイッチ３７によってモータ５６を始動し、モータ５６が回転してねじ山ロッド５５を連れて回転させ、リミット板５４によってプッシュロッド５２の回転をリミットする場合、ねじ山ロッド５５がねじ山による係合を通じてプッシュロッド５２を右へ移動させてプッシュ板５１を押し動かして右へ移動させ、バルブチャンバＡ４５の中の気圧を増大し、モータ５６が逆方向に回転する時、プッシュ板５１が左へ移動し、バルブチャンバＡ４５の中の気圧が減少し、バルブチャンバＢ５０の中の高気圧によってバルブボールＢ４７が接続パイプＢ４６とバルブボディＢ６０との連通区域に留められ、接続パイプＡ４２の中の高気圧によってバルブボールＡ４３がバルブチャンバＡ４５の中に押され、バルブチャンバＡ４５の中の液体歯磨きがバルブチャンバＢ５０の中に入り、バルブチャンバＡ４５の中の気圧が増大する時、バルブボールＡ４３が接続パイプＡ４２とバネＡ４４との連通区域に留められ、バルブボールＢ４７が圧下され、吸上げパイプ１３を通じて歯磨きチャンバ１２の中の液体歯磨きを吸上げ、液体歯磨きがバルブチャンバＡ４５の中に入り、バルブチャンバＡ４５の圧力が増大するに従い、液体歯磨きが再びバルブチャンバＢ５０の中に押された後、バルブチャンバＢ５０の中の液体歯磨きが第一伝送パイプ３２を通して発泡パイプ３０の中に入り、篩Ａ３１の作用によって泡になって継続して発泡パイプ３０を通して第二伝送パイプ１４の中に入り、泡が第二伝送パイプ１４の中に入り始める時にバルブボールＣ２０が上へ動かされて移動して、泡が両側の伝送通路２１を通して泡チャンバ２３の中に入り、篩Ｂ２４によって二次発泡した後に泡通路２５を通してヘッド１０の表面に出る。
【００２２】
本発明の有益効果は：歯磨きする時に、スイッチを押せば泡状の液体歯磨きが形成され、且つ歯磨きが終わるまで一定の時間帯が経つごとに新しい泡が出て、また篩を二つも設けており、液体歯磨きを完全に泡状の歯磨きに転換でき、三箇所に設置されているバルブボールによって液体歯磨きの流向を保証し、また歯磨きする時と歯ブラシを洗浄する時に発生する回流問題を防止し、現有の噴霧歯ブラシとは極大の区別があり、発泡効果がいいし、安定であるし、携帯も便利であり、宣伝価値がある。
【００２３】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。